(57)【要約】  【課題】  両持固定軸式の利点を維持しつつ、工具の交換が簡易な回転工具の固定軸取付け装置を提供すること。  【解決手段】  固定軸３の両端のそれぞれを両持状に支持することとなる一対の支持ブラケット１，２と、前記固定軸３に軸受４を介して被嵌された回転筒体５と、前記回転筒体５の外周に並設された、この回転筒体５を回転駆動するための回転伝動部８と回転工具Ｔの装脱着可能な装着部９とを有し、しかも前記固定軸３の一方端３ａは前記一方の支持ブラケット１部位を支点として揺動可能に設けられ、前記他方の支持ブラケット２は、前記固定軸３を揺動させて、前記装着部９に回転工具Ｔを装着した状態で、前記固定軸３の他方自由端３ｂを着脱可能に固定する手段を備えていることを特徴とする回転工具の固定軸取付け装置Ａ。【選択図】    図３
2006116649.tif 000002
【特許請求の範囲】
【請求項１】
固定軸の両端のそれぞれを両持状に支持することとなる一対の支持ブラケットと、
前記固定軸に軸受を介して被嵌された回転筒体と、
前記回転筒体の外周に並設された、この回転筒体を回転駆動するための回転伝動部と回転工具の装脱着可能な装着部とを有し、
しかも前記固定軸の一方端は前記一方の支持ブラケット部位を支点として揺動可能に設けられ、
前記他方の支持ブラケットは、前記固定軸を揺動させて、前記装着部に回転工具を装着した状態で、前記固定軸の他方自由端を着脱可能に固定する手段を備えていることを特徴とする回転工具の固定軸取付け装置。
【請求項２】
固定軸の一方端である支点端側を支持する支持ブラケットは、この支点端側を解離可能に固定する手段を備えていることを特徴とする前記請求項１に記載の回転工具の固定軸取付け装置。
【請求項３】
装着部は、回転工具の側面部が当接する周側面部を有するフランジ若くは鍔部を備えていることを特徴とする前記請求項１又は２に記載の回転工具の固定軸取付け装置。
【請求項４】
装着部は、回転工具のテーパー中央孔が接するテーパー状装着周面部を備えていることを特徴とする前記請求項１から３のいずれかの請求項に記載の回転工具の固定軸取付け装置。
【発明の詳細な説明】
【技術分野】
【０００１】
本発明は、円形研削砥石や調整砥石、ロータリードレッサ及びフライスカッターなど、工具を回転させて被加工物を加工する回転工具を、両持状に支持される態様の固定軸に、着脱可能に取付けることのできる装置に関するものである。
【背景技術】
【０００２】
回転工具の取付け手段としては、軸受を介して支持体に配設された回転軸の軸端に回転工具が着脱可能に固定された片持式や、一対の支持体のそれぞれに各軸端が軸受を介して着脱可能に固定され、この回転軸の両支持体間に回転工具が固定して取付けられた両持の軸回転式または、二ツ割構成の一対の支持体に各軸端が着脱可能に締付け固定されており、この両持固定状態の軸の両支持体間部位に、回転工具である研作砥石軸（ロータリードレッサー）と駆動プーリー部を周設したスリーブ（回転筒体）が、回転可能に嵌められている固定軸式がある（例えば、特許文献１、２、３参照）。
【０００３】
【特許文献１】特開昭５９−１６１２６４号公報
【特許文献２】特開昭５９−１６１２６５号公報
【特許文献３】特許第２９４２４６１号公報
【発明の開示】
【発明が解決しようとする課題】
【０００４】
前記回転工具の取付け手段における片持式は、回転工具の交換などにおいて便宜であるが、この回転工具が固定された軸端に大きな負荷がかかることから、剛性を確保するために軸承部である支持体を大きくする必要があり、そのために装置全体が大型となる。
これに対し、前記軸回転式や固定軸式は、回転工具を軸支する軸の両軸端が両持状に支持されているものであるから、十分に剛性を確保することができるものであるが、軸回転式にあっては、両支持体部における軸受の変形が懸念されこれが回転工具の加工時に影響するおそれがあり、この点において固定軸式にあっては、軸受手段が回転筒体内となることから前記変形による加工時への影響を考慮することなく、また回転工具の取付け部と回転駆動部を近接することができるので、装置の小型化が図れるなどの利点を有するものである。
しかしながらこの軸回転式や固定軸式は、回転工具が軸に固定又はスリーブや回転筒体を介して設けられていることから、回転工具の摩耗による修正や交換において、軸や、ベルト、歯車などの回転駆動手段と共に支持体から取外すこととなり、しかも、これを別途支持治具に取付けて回転工具を交換するなど煩雑、慎重な作業となる。
【０００５】
本発明の目的は、前記を考慮して、両持固定軸式の利点を維持しつつ、工具の交換が簡易な回転工具の固定軸取付け装置を提供することにある。
【課題を解決するための手段】
【０００６】
上記目的を達成する回転工具の固定軸取付け装置の第１の手段は、固定軸の両端のそれぞれを両持状に支持することとなる一対の支持ブラケットと、前記固定軸に軸受を介して被嵌された回転筒体と、前記回転筒体の外周に並設された、この回転筒体を回転駆動するための回転伝動部と回転工具の装脱着可能な装着部とを有し、しかも前記固定軸の一方端は前記一方の支持ブラケット部位を支点として揺動可能に設けられ、前記他方の支持ブラケットは、前記固定軸を揺動させて、前記装着部に回転工具を装着した状態で、前記固定軸の他方自由端を着脱可能に固定する手段を備えているものである。
【０００７】
第２の手段は、前記固定軸の一方端である支点端側を支持する支持ブラケットが、この支点端側を解離可能に固定する手段を備えているものである。
【０００８】
そして第３の手段は、前記装着部が、回転工具の側面部が当接する周側面部を有するフランジ若くは鍔部を備えており、また第４の手段は、前記装着部が回転工具のテーパー中央孔が接するテーパー状装着周面部を備えているものである。
【発明の効果】
【０００９】
本発明によれば、一方の支持ブラケットに一方軸端が枢支され、他方自由端は、着脱固定可能に他方支持ブラケットに固定されることにより、一対の支持ブラケットに両持状に固定される固定軸に回転工具が回転可能に装着されることとなるから、いわゆる固定軸式の利点である軸受変形の回避や十分な剛性が得られるばかりか小型化も図れることはもとより、従来欠点とされた回転工具の摩耗による修正や交換作業が簡易となり、また、回転工具の装着にあたって、鍔部などを有する装着部にあっては、この鍔部の周側面部に回転工具の側面部を当接させる状態となることから、これが回転工具の軸線方向位置決めともなるもので、精度、作業能率に益するものである。
また、固定軸の枢支側の支持ブラケットが、この軸端の解離可能な固定手段を備えている形態にあっては、固定軸の両持固定が更に強固となる。
【実施例】
【００１０】
図は本発明に係る回転工具の固定軸取付け装置の実施例を示すもので、以下各図を参考に説明する。
【００１１】
回転工具には、フライスカッターやロータリードレッサーなど多種があるが、ここにおいては、円形研削砥石の固定軸取付け装置例による。
【００１２】
この実施例における回転工具の固定軸取付け装置Ａは、機体などに間隔をもって配置された一対の支持ブラケット１，２と、この両支持ブラケット１，２間に横架された状態で両端部位のそれぞれが両持状に支持された固定軸３と、この固定軸３の外周に軸受４を介して回転可能に被嵌された回転筒体５を備えている。
【００１３】
前記固定軸３は一方端部位付近が一方の支持ブラケット１の円弧状部１ａに支持されていると共に、軸端３ａが、この支持ブラケット１の外側に張出すように突出された一対の支持片１ｂ，１ｂで水平方向から挟まれ、この軸端３ａと両支持片１ｂ，１ｂを貫通する水平支軸６で枢支され、図１において、固定軸３が水平支軸６を支点として左右方向（矢印方向）に揺動可能に構成されている。
この枢支手段は、固定軸３が平面円弧状に揺動運動する構成であるが、自在方向に揺動可能なフレキシブル機構手段や、軸端３ａと支持ブラケット１の間に蝶番を設けた態様など、一方軸端３ａを支点として固定軸３が揺動（円弧動）可能に構成されていれば足りる。
【００１４】
そして前記一方端が枢支（支点端側）された固定軸３の他方端側である自由端３ｂは、二ツ割状に構成された他方の支持ブラケット２の受側２ａで受支持され蓋側２ｂで上方から挟持された状態で締付けボルト７により着脱可能に固定されており、これにより固定軸３は、各軸端部位が一対の支持ブラケット１，２により両持状に固定されることとなる。
【００１５】
回転筒体５は、固定軸３の両支持ブラケット１，２間となる部位に、軸受４を介して回転可能に被嵌されており、回転筒体５には、この回転筒体５を回転駆動するための回転伝動部８と回転工具Ｔの装着部９が軸線方向に並設されている。
【００１６】
回転伝動部８は、本例のごとく駆動源モータ（図示せず）と回転筒体５とのベルト伝動用のプーリー部８ａが周設されている態様や、図６のごとく歯車伝動用の歯車部８ｂが設けられており、回転工具Ｔの装着部９は、回転筒体５の略中央部位に周設された回転工具Ｔを固定するための鍔部５ａと、固定軸３の自由端３ｂ側方向の回転筒体５外周面となる装着周面部５ｂを有し、鍔部５ａの周側面部５ｃには、同心円上に配列された複数の取付け螺子孔５ｄが設けられている。
【００１７】
この装着部９にあっては、図７のごとく鍔部５ａが回転筒体５における回転伝動部８とは反対方向の端部位にフランジ状に配設された態様も可能であるが、この場合固定軸３は図示において右方向が水平支軸６で枢支された支点端側で、左方向が自由端３ｂ側となる。
【００１８】
また装着周面部５ｂは、図８のごとく鍔部５ａ方向が次第に拡径形成されたテーパー状装着周面部５ｂ´であっても良い。
【００１９】
そしてこの回転筒体５の装着部９に着脱可能に装着される回転工具Ｔは円形研削砥石で、装着周面部５ｂに被嵌される内周面部２０を有するフランジ筒２１の外周面に、砥石層２２が周設された台金輪２３が嵌合され、このフランジ筒２１のフランジ内側面と支持輪２４により挟持された状態で固定されていると共に、このフランジ筒２１と支持輪２４を貫通するボルト孔２５が、回転筒体５の鍔片５ａに設けられた取付け螺子孔５ｄに整合する態様で穿孔されているものである。
【００２０】
また前記回転筒体５の装着部９が図８のごとくテーパー状装着周面部５ｂ´の態様にあっては、これと被嵌される回転工具Ｔ´におけるフランジ筒２１´の内周面部もこのテーパー状装着周面部５ｂ´に接するテーパー中央孔２０´状を呈するものである。
【００２１】
前記固定軸取付装置Ａに回転工具Ｔを装着する操作は、図２に示すごとく、回転筒体５の回転伝動部８におけるプーリー部８ａに懸架されたベルトを緩め、固定軸３の自由端３ｂ側を、水平支軸６を支点に揺動させて持上げた状態とし、装着部９にこの自由端３ｂ側から回転工具Ｔの内周面部２０を嵌込んでボルト孔２５と鍔部５ａの取付け螺子孔５ｄを整合させ、これに取付けボルト３０を挿通して締付け固定し、次いで自由端３ｂ側をおろして支持ブラケット２の受側２ａに載置し、これに蓋側２ｂを被せて締付けボルト７により、この自由端３ｂ側を固定するものである。
【００２２】
これにより回転工具Ｔは、支持ブラケット１，２により両持状に固定された固定軸３に回転可能に装着され、摩耗による修正や交換をするために回転工具Ｔをこの固定軸取付け装置Ａから脱離させるには、前記と逆の操作による。
【００２３】
図９は、この固定軸取付け装置Ａにおける回転筒体５の装着部９に、他例回転工具である前記円形研削砥石の外周面を修正するためのロータリードレッサーＤを装着した状態を示すもので、装着周面部５ｂにカラー３１を介してロータリードレッサーＤの中央孔Ｄ１を嵌込んでボルト３０で固定したものである。
【００２４】
また図１０は、前記固定軸取付け装置Ａの固定軸３における支点端側の軸端３ａを受支持する支持ブラケット１が、自由端３ｂ側の支持ブラケット２と同様に受側１ａ´と蓋側１ｃとに二ツ割構成され、支点端側の軸端３ａがこの受側１ａ´と蓋側１ｃに挟まれた状態で、締付けボルト７´により解離可能に固定される形態を示すもので、固定軸３の両持固定を更に強固にしたものである。
【００２５】
前記実施例による回転工具の固定軸取付け装置Ａは、一方の支持ブラケットに一方軸端が枢支され、他方自由端は、着脱固定可能に他方支持ブラケットに固定されることにより、一対の支持ブラケットに両持状に固定される固定軸３と、この固定軸３に軸受４を介して被嵌された回転筒体５と、この回転筒体５に並設された回転駆動用の回転伝動部８と回転工具Ｔの装脱可能な装着部９を備えてなるもので、前記両持状の固定軸３に回転工具Ｔが回転可能に装着されることとなるから、いわゆる固定軸式の利点である軸受変形の回避や十分な剛性が得られるばかりか小型化も図れることはもとより、従来欠点とされた回転工具の摩耗による修正や交換作業が簡易となり、また、回転工具の装着にあたって、鍔部を有する装着部にあっては、この鍔部の周側面部に回転工具の側面部を当接させる状態となることから、これが回転工具の軸線方向位置決めともなるもので、精度、作業能率に益するものである。
【図面の簡単な説明】
【００２６】
【図１】回転工具の固定軸取付け装置の断面正面図。
【図２】回転工具の装着脱状態を示す断面正面図。
【図３】回転工具を装着した状態の断面正面図。
【図４】図３の右側面図。
【図５】図３の左側面図。
【図６】他例回転伝動部手段を示す簡略図。
【図７】他例装着部手段を示す簡略図。
【図８】テーパー状装着周面部及びテーパー中央孔を有する回転工具の装着状態を示す簡略図。
【図９】ロータリードレッサー回転工具を装着した状態を示す断面正面図。
【図１０】他例両支持ブラケットが着脱固定手段を備えた形態の断面正面図。
【符号の説明】
【００２７】
Ａ            回転工具の固定軸取付け装置
Ｄ            ロータリードレッサー
Ｔ，Ｔ´      回転工具
１            支持ブラケット
１ａ´        受側
１ｃ          蓋側
２            支持ブラケット
２ａ          受側
２ｂ          蓋側
３            固定軸
３ａ          軸端（支点端）
３ｂ          自由端
４            軸受
５            回転筒体
５ａ          鍔部
５ｂ          装着周面
５ｂ´        テーパー状装着周面部
５ｃ          周側面部
５ｄ          取付け螺子孔
６            水平支軸
７，７´      締付けボルト
８            回転伝動部
８ａ          プーリー
８ｂ          歯車
９            装着部
２０          内周面部
２０´        テーパー中央孔
２１，２１´  フランジ筒
２２          砥石層
２３          台金輪
２４          支持輪
２５          ボルト孔
３０          取付けボルト
３１          カラー
【図１】
2006116649.tif 000003
【図２】
2006116649.tif 000004
【図３】
2006116649.tif 000005
【図４】
2006116649.tif 000006
【図５】
2006116649.tif 000007
【図６】
2006116649.tif 000008
【図７】
2006116649.tif 000009
【図８】
2006116649.tif 000010
【図９】
2006116649.tif 000011
【図１０】
2006116649.tif 000012